(57)【要約】【課題】操作モードの選択により操作の簡易化を図ると同時に、使用者の利便性の低下を防止し得るコンテンツ再生方法を提供する。【解決手段】記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、メニューコンテンツが存在するとともに当該メニューのボタンが押された時に再生されるコンテンツがさらにメニューコンテンツでないコンテンツを再生するボタンが複数ある場合、これらボタンのうち、ボタンを一意に識別し得る番号が最も小さいボタンを実行した後に再生されるコンテンツを本編として再生する方法である。【選択図】図６
2007299446.tif 000002
【特許請求の範囲】
【請求項１】
記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、操作モードとして、少なくとも、全ての操作が可能な通常操作モードおよび再生時に要求されるキー操作を制御部側で自動的に実行可能な簡易操作モードとを備え、且つ上記制御部にて、選択された操作モードに応じた所定動作についての上記各操作部からのキー操作を排除するようにしたコンテンツ再生装置において、
上記制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、
メニューコンテンツが存在するとともに当該メニューのボタンが押された時に再生されるコンテンツがさらにメニューコンテンツでないコンテンツを再生するように割り当てられているボタンのコンテンツを本編として再生することを特徴とするコンテンツ再生方法。
【請求項２】
メニューコンテンツでないコンテンツを再生するボタンが複数ある場合、これらボタンのうち、ボタンを特定し得る番号が最も小さいボタンを実行した後に再生されるコンテンツを本編として再生することを特徴とする請求項１に記載のコンテンツ再生方法。
【請求項３】
メニューコンテンツでないコンテンツを再生するボタンが複数ある場合、これらボタンのうち、一定時間経過した後に自動で実行されるボタンを実行した後に再生されるコンテンツを本編として再生することを特徴とする請求項１に記載のコンテンツ再生方法。
【請求項４】
メニューコンテンツでないコンテンツを再生するボタンが複数ある場合、これらボタンのうちメニューを表示した時にカーソルがあるボタンを実行した後に再生されるコンテンツを本編として再生することを特徴とする請求項１に記載のコンテンツ再生方法。
【請求項５】
メニューコンテンツでないコンテンツを再生するボタンが複数あり、且つこれらボタンのうち、一定時間経過した後に自動で実行されるボタンとメニューを表示した時にカーソルがあるボタンとがある場合に、上記一定時間経過した後に自動で実行されるボタンを実行した後に再生されるコンテンツを本編として再生することを特徴とする請求項１に記載のコンテンツ再生方法。
【請求項６】
メニューコンテンツでないコンテンツを再生するボタンが複数あり、且つこれらボタンのうち、一定時間経過した後に自動で実行されるボタンとメニューを表示した時にカーソルがあるボタンとがある場合に、上記メニューを表示した時にカーソルがあるボタンを実行した後に再生されるコンテンツを本編として再生することを特徴とする請求項１に記載のコンテンツ再生方法。
【請求項７】
メニューコンテンツでないコンテンツを再生するボタンが複数あり、且つこれらボタンに、一定時間経過した後に自動で実行されるボタンとメニューを表示した時にカーソルがあるボタンとが含まれていない場合、これらボタンのうち、ボタンを特定し得る番号が最も小さいボタンを実行した後に再生されるコンテンツを本編として再生することを特徴とする請求項１に記載のコンテンツ再生方法。
【請求項８】
記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、操作モードとして、少なくとも、全ての操作が可能な通常操作モードおよび再生時に要求されるキー操作を制御部側で自動的に実行可能な簡易操作モードとを備え、且つ上記制御部にて、選択された操作モードに応じた所定動作についての上記各操作部からのキー操作を排除するようにしたコンテンツ再生装置において、
上記制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、
メニューコンテンツが存在するとともに当該メニューのボタンが押された時に再生されるコンテンツがさらに全てメニューコンテンツである場合、上記ボタンが押された時に再生されるメニューコンテンツの再生時に、ユーザの操作なしにタイトルコンテンツを再生するように割り当てられているボタンのコンテンツを本編として再生することを特徴とするコンテンツ再生方法。
【発明の詳細な説明】
【技術分野】
【０００１】
光ディスクやハードディスクなどの記録媒体に記録された画像や音声データなどのコンテンツの再生装置における再生方法に関する。
【背景技術】
【０００２】
近年の電子機器には、様々な便利な機能が具備されており、使用者は本体キーやリモコンキーによる操作にて、使用目的に応じた機器動作、すなわち動作機能を行わせることができる。
【０００３】
しかし、動作機能が増えると、キー操作が複雑になり、使用者が本来使いたい機能が得られるまでに、幾つものキー操作を必要とする場合がある。
このように幾つものキー操作を必要とする場合、通常、操作説明書を読みながら操作を行うことになる。また、操作説明書を読まずに操作を行うと、余分なキー操作や誤ったキー操作を行うことになり、目的の機能を利用し得る段階までに辿り着かない場合もあり、使用者にとっては不満を感じることになる。
【０００４】
したがって、このような使用者の不満を解消するために、操作の簡易化や操作の補助が望まれている。
従来、画像や音声データなどのコンテンツの再生装置ではなく、アンプなどの電子機器においては、操作の簡略化が図られており、本体キーの操作やリモコンキーの操作の負担の低減化が図られている（例えば、特許文献１参照）。
【０００５】
このような構成においては、その起動時に、リモコンキーの操作によって動作を切り替える制御回路を有し、操作に応じて装置全体の動作を切り替えるとともにリモコンからの当該操作の一部が受け付けられないようにされており、操作の複雑さを排除する提案がなされている。
【０００６】
例えば、リモコンなどの操作の一部を受け付けないようにすることで、通常の使用時では不要な操作、例えば一度設定を終えると、それ以降は操作の必要がない機器の初期設定における選択などの操作を行う必要がなくなり、また特殊な再生動作、例えばスロー再生やコマ送り再生など、殆ど、使い慣れた使用者しか用いないような機能を制限することができる。
【特許文献１】特開平７−５７４４２号公報
【発明の開示】
【発明が解決しようとする課題】
【０００７】
上述した従来の構成によると、操作の複雑さを低減するために、リモコン操作により単一動作状態への切り替えを行うことはできるが、使用者が希望する操作の複雑さの度合いが異なるため、単一的な動作の切り替えを行うと、使用条件によっては操作ができなくなるものがあり、利便性が低下する惧れがある。また、キー操作の制限を行うと、使用者に対し、一律に機能が制限されるというデメリットがある。さらに、リモコン操作の入力制限を一度だけ起動時に行った後で、切り替えができなくなると、動作状況が変化して、動作途中で本来のキー入力が必要となった場合に、それ以降の動作を行うことができなくなってしまうという不都合も生じる。
【０００８】
そこで、上記課題を解決するために、本発明は、操作モードの選択により操作の簡易化を図ると同時に、使用者の利便性の低下を防止し得るコンテンツ再生方法を提供することを目的とする。
【課題を解決するための手段】
【０００９】
上記課題を解決するため、本発明の請求項１に係るコンテンツ再生方法は、記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、操作モードとして、少なくとも、全ての操作が可能な通常操作モードおよび再生時に要求されるキー操作を制御部側で自動的に実行可能な簡易操作モードとを備え、且つ上記制御部にて、選択された操作モードに応じた所定動作についての上記各操作部からのキー操作を排除するようにしたコンテンツ再生装置において、
上記制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、
メニューコンテンツが存在するとともに当該メニューのボタンが押された時に再生されるコンテンツがさらにメニューコンテンツでないコンテンツを再生するように割り当てられているボタンのコンテンツを本編として再生する方法である。
【００１０】
また、請求項２に係るコンテンツ再生方法は、請求項１に記載の再生方法において、メニューコンテンツでないコンテンツを再生するボタンが複数ある場合、これらボタンのうち、ボタンを特定し得る番号が最も小さいボタンを実行した後に再生されるコンテンツを本編として再生する方法である。
【００１１】
また、請求項３に係るコンテンツ再生方法は、請求項１に記載のコンテンツ再生方法において、メニューコンテンツでないコンテンツを再生するボタンが複数ある場合、これらボタンのうち、一定時間経過した後に自動で実行されるボタンを実行した後に再生されるコンテンツを本編として再生する方法である。
【００１２】
また、請求項４に係るコンテンツ再生方法は、請求項１に記載のコンテンツ再生方法において、メニューコンテンツでないコンテンツを再生するボタンが複数ある場合、これらボタンのうちメニューを表示した時にカーソルがあるボタンを実行した後に再生されるコンテンツを本編として再生する方法である。
【００１３】
また、請求項５に係るコンテンツ再生方法は、請求項１に記載のコンテンツ再生方法において、メニューコンテンツでないコンテンツを再生するボタンが複数あり、且つこれらボタンのうち、一定時間経過した後に自動で実行されるボタンとメニューを表示した時にカーソルがあるボタンとがある場合に、上記一定時間経過した後に自動で実行されるボタンを実行した後に再生されるコンテンツを本編として再生する方法である。
【００１４】
また、請求項６に係るコンテンツ再生方法は、請求項１に記載のコンテンツ再生方法において、メニューコンテンツでないコンテンツを再生するボタンが複数あり、且つこれらボタンのうち、一定時間経過した後に自動で実行されるボタンとメニューを表示した時にカーソルがあるボタンとがある場合に、上記メニューを表示した時にカーソルがあるボタンを実行した後に再生されるコンテンツを本編として再生する方法である。
【００１５】
また、請求項７に係るコンテンツ再生方法は、請求項１に記載のコンテンツ再生方法において、メニューコンテンツでないコンテンツを再生するボタンが複数あり、且つこれらボタンに、一定時間経過した後に自動で実行されるボタンとメニューを表示した時にカーソルがあるボタンとが含まれていない場合、これらボタンのうち、ボタンを特定し得る番号が最も小さいボタンを実行した後に再生されるコンテンツを本編として再生する方法である。
【００１６】
さらに、請求項８に係るコンテンツ再生方法は、記録媒体からコンテンツのデータを読み出すデータ読出し部と、このデータ読出し部にて読み出されたデータに所定の処理を施すデータ処理部と、少なくともこれらデータ読出し部およびデータ処理部を制御バスを介して制御する制御部と、この制御部を介して所定の再生動作および操作モードの選択を、直接に行う本体キー操作部および遠隔で行う遠隔キー操作部と、上記制御部に接続されて制御プログラムが格納されるとともに選択された操作モード情報を記憶し得る記憶部とを具備するとともに、操作モードとして、少なくとも、全ての操作が可能な通常操作モードおよび再生時に要求されるキー操作を制御部側で自動的に実行可能な簡易操作モードとを備え、且つ上記制御部にて、選択された操作モードに応じた所定動作についての上記各操作部からのキー操作を排除するようにしたコンテンツ再生装置において、
上記制御部により、記録媒体からコンテンツを読み出すとともに、メニューコンテンツの有・無またはコンテンツ本体部を示すタイトルを解析して、その内容に応じて、必要となるキー操作の一部を自動的に実行してコンテンツを再生する際に、
メニューコンテンツが存在するとともに当該メニューのボタンが押された時に再生されるコンテンツがさらに全てメニューコンテンツである場合、上記ボタンが押された時に再生されるメニューコンテンツの再生時に、ユーザの操作なしにタイトルコンテンツを再生するように割り当てられているボタンのコンテンツを本編として再生する方法である。
【発明の効果】
【００１７】
上述した各コンテンツ再生方法によると、操作モードに応じて使用可能なキーを使用者が選択できるとともに、コンテンツの内容に応じて、制御部が、使用可能なキーを決定することができるので、例えば使用者の熟練度に応じたキー操作が可能となり、操作の簡易化を図ると同時に利便性が向上する。
【００１８】
さらには、記録媒体からコンテンツを読み出してメニューコンテンツの有・無またはコンテンツ本体部のタイトルを解析して、その内容に応じて必要となるキー操作の一部を自動的に実行してコンテンツを再生する際に、メニューコンテンツがあり、さらに次のメニューコンテンツが有る場合でも、自動的に、次のメニューコンテンツでないコンテンツに対応するボタンのコンテンツを本編として再生するようにしているので、少なくとも、メニューが２階層に亘って設けられている場合でも、コンテンツ本体部の再生を確実に行うことができる。
【発明を実施するための最良の形態】
【００１９】
［実施の形態１］
以下、本発明の実施の形態１に係るコンテンツ再生方法を、図面を参照しながら説明する（請求項１および請求項２に相当）。
【００２０】
まず、コンテンツ再生方法を実施するためのコンテンツ再生装置および当該コンテンツ再生装置を用いたコンテンツ再生システムについて説明する。
図１は、コンテンツ再生装置を用いたコンテンツ再生システムの概略全体構成を示す図で、図２は同コンテンツ再生装置の内部構成を示すブロック図である。
【００２１】
図１に示すように、このコンテンツ再生装置（以下、単に、再生装置という）１００は、光ディスク（記録媒体の一例で、具体的にはＤＶＤディスクなどである）に記録された映像データ、音声データなどのコンテンツを再生するもので、当然に、その再生データは、モニターなどの表示装置２０およびスピーカ３０に送られて、コンテンツを観賞し得るように構成されている。
【００２２】
ところで、ＤＶＤなどの光ディスク（以下、単に、ディスクという）１０７には、当然ながら、その記録内容を効率良く、表示および再生し得るように、メニューコンテンツが記録されるとともに、コンテンツの本体部がそれぞれ所定のタイトルでもって記録されている。
【００２３】
このコンテンツ再生装置１００は、図２に示すように、装置全体の制御を行う制御部（例えば、ＣＰＵが用いられる）１０１と、この制御部１０１に直接接続された本体キー部（本体キー操作部）１０２と、上記制御部１０１に接続されて当該制御部１０１を動作させるプログラムが格納された第１記憶部（ＲＯＭであり、不揮発性メモリーが用いられている）１０３と、動作状態などの変数を格納する第２記憶部（ＲＡＭが用いられている）１０４と、上記制御部１０１に制御バス１０５を介して接続されて映像および音声データに対して所定の処理（例えば、デコーダ処理）を行うデータ処理部１０６とが具備されている。このデータ処理部１０６にて得られた映像データおよび音声データが、表示装置２０およびスピーカ３０に出力される。
【００２４】
また、上記再生装置１００には、使用者が当該再生装置１００の遠隔操作を行うためのリモコンキー部（遠隔キー操作部）１０が具備されている。
なお、再生装置１００のディスクトレイ４０にディスク１０７が挿入されると、再生装置１００に設けられたピックアップ１０８を介して映像データおよび音声データが読み出され、これらデータはディスクコントローラ１０９を介してデータ処理部１０６に送られる。なお、ピックアップ１０８、ディスクコントローラ１０９などにより、データ読出し部が構成されている。
【００２５】
上記再生装置１００において、使用者が遠隔操作により操作モードを選択すると、制御部１０１でその内容が解析され、したがってリモコンキー部１０から操作モードの切り替えが通知されたことになり、この選択された操作モードが第２記憶部１０４に格納される。
【００２６】
そして、この第２記憶部１０４に格納された操作モードに応じて、制御部１０１は装置全体の動作制御を行うとともに、制御部１０１はリモコンキー部１０および本体キー部１０２からの入力キーの受付けの制限を行う。
【００２７】
さらに、制御部１０１は、ディスクコントローラ１０９を介してディスク１０７からコンテンツ本体部である映像データおよび音声データの読み出しを行い、そしてこの読み出されたコンテンツのデータ解析を行うとともに、その解析結果に基づき、装置全体の制御を行う。
【００２８】
図３は、コンテンツ再生装置１００において、選択可能な操作モード５０の内容を示している。
すなわち、操作モードとしては、通常操作モード５１、簡易機能モード５２、簡易操作モード５３および機能カスタマイズモード５４を有しており、これら各モードでの情報については、第１記憶部１０３に設けられた操作モード格納領域に格納されている。
【００２９】
以下、各操作モードの情報について説明する。
通常操作モード５１では、コンテンツ再生装置１００の全機能およびキー入力を使用することができる。また、簡易機能モード５２では、特殊なキー操作などは無効にされており、したがって特殊な機能については利用できないようにされている。また、簡易操作モード５３では、ディスクの再生に要求されるキー入力を再生装置１００側にて自動で行い、使用者側でキー入力を行う必要がないようにされるとともに、特殊なキー操作などが制限されており、やはり、特殊な機能については利用することができないようにされている。さらに、機能カスタマイズモード５４では、再生装置１００で利用できる全機能の中から使用者が使用したい機能を選択し得るようにされており、それ以外の機能については利用できないように（無効に）されている。
【００３０】
上記再生装置１００において、操作モード５０が簡易操作モード５３である場合について、より詳しく説明する。
すなわち、制御部１０１は、コンテンツのデータ解析を行い、解析した結果に基づき、本来、必要とされる操作の一部を当該制御部１０１自身の判断で行うとともに、その操作に係る使用者からのキー入力が排除される。
【００３１】
例えば、ディスク１０７がディスクトレイ４０に挿入されて再生が開始され、メニューコンテンツまで再生が行われると、使用者は再生装置１００に対してキー操作で次の指示を与える必要があるが、操作モード５０が簡易操作モード５３である場合、再生装置１００は、使用者から本編（再生したいコンテンツ本体部）の再生開始の操作がなされたと判断し、使用者が再生装置１００に対してキー操作により次の指示を与えなくても本編の再生が開始される。
【００３２】
例えば、複数の言語に対応したディスク１０７を再生装置１００で再生する場合、使用者は、どの言語で再生するかを選択するが、操作モード５０が簡易操作モード５３である場合、第１記憶部１０３に設定されている言語に基づき再生が行われる。
【００３３】
また、使用者は、ディスク１０７に対して、音声データ（オーディオ）の選択設定などを行うが、操作モード５０が複雑な操作を排除する簡易操作モード５３である場合、再生装置１００側では、第１記憶部１０３に保存されている設定値が用いられる。
【００３４】
なお、ディスク１０７に対する選択設定はこれらに限らず、使用者は再生装置１００の映像データおよび音声データ以外の細部の設定についても行うことができ、また操作モード５０が簡易操作モード５３である場合には、再生装置１００の設定値として、第１記憶部１０３に保存されている設定値を用いることもできる。
【００３５】
次に、コンテンツの再生方法を、図４〜図７に基づき説明する。
図４は、ディスクから読み出したデータを使用したメニューコンテンツの有・無の決定方法を示すフローチャートである。
【００３６】
ディスク１０７が再生装置１００のディスクトレイ４０に挿入されると、当該ディスク１０７からデータが読み出される（Ｓ００１）。
読み出されたデータの中にＶＭＧＭ＿ＶＯＢＳ（メニュー用ＶＯＢＳ)が有るか否かが判断され（Ｓ００２）、有ればメニューコンテンツ「有」と判断される（Ｓ００４）。
【００３７】
読み出されたデータの中にＶＭＧＭ＿ＶＯＢＳ（メニュー用ＶＯＢＳ）が無く（Ｓ００２）、ＶＴＳＭ＿ＶＯＢＳ（メニュー用ＶＯＢＳ)が有れば（Ｓ００３）、メニューコンテンツ「有」と判断される（Ｓ００４）。
【００３８】
読み出されたデータの中にＶＭＧＭ＿ＶＯＢＳ（メニュー用ＶＯＢＳ）が無く（Ｓ００２）、ＶＴＳＭ＿ＶＯＢＳ（メニュー用ＶＯＢＳ)も無ければ（Ｓ００３）、メニューコンテンツ「無」と判断される（Ｓ００５）。
【００３９】
図５は、ディスクを再生しながらメニューコンテンツの有・無の決定方法を示すフローチャートである。
ディスク１０７が再生装置１００のディスクトレイ４０に挿入されてデータが再生され（Ｓ００６）、ＦＰ＿ＰＧＣの再生後（Ｓ００７）にＴＴ＿ＰＧＣに移行すれば（Ｓ００８）、メニューコンテンツ「無」と判断される（Ｓ００９）。ＴＴ＿ＰＧＣ以外に移行すれば（Ｓ００８）、メニューコンテンツ「有」と判断される（Ｓ０１０）。
【００４０】
図６は、ディスク１０７に記録されたコンテンツに応じて、再生装置１００の操作モード５０が簡易操作モード５３である場合に、メニューコンテンツで使用者が行わなければいけない操作を排除し、再生装置１００によりコンテンツの本編を選択し再生する場合の動作を示すフローチャートである。
【００４１】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００４２】
メニューコンテンツが有る場合は、メニュー画面に移行し（Ｔ１０１）、メニューの管理情報を検索する（Ｔ１０２）。例えば、ＤＶＤ−Ｖｉｄｅｏ規格の場合では、ＮＶ＿ＰＣＫのＨＬＩ＿ＧＩである。
【００４３】
そして、管理情報を検索しボタンが有るか無いかを探し（Ｔ１０３）、その判断を行う（Ｔ１０４）。ボタンが無い場合は次の管理情報（ＮＶ＿ＰＣＫのＨＬＩ＿ＧＩ）を取得することになる（Ｔ１０５）。
【００４４】
ボタンが有る場合（Ｔ１０４）、このボタンが実行された後に再生される映像データがメニューではないコンテンツであるボタンを取得する（Ｔ１０６）。
取得した実行された後に再生される映像データがメニューでないコンテンツであるボタンの数を判断する（Ｔ１０７）。
【００４５】
ボタンが無い場合、上記と同様に、次の管理情報（ＮＶ＿ＰＣＫのＨＬＩ＿ＧＩ）を取得することになる（Ｔ１０５）。
ボタンが１つだけの場合、このボタンが実行された後に再生されるコンテンツを本編とする（Ｔ１０８）。
【００４６】
取得した実行された後に再生される映像データがメニューでないコンテンツであるボタンの数が複数（２つ以上）である場合、これらボタンのうち、ボタンを一意に識別（特定）し得る番号が最も小さいボタンを実行した後に再生されるコンテンツを本編とする（Ｔ１０９）。
【００４７】
ここで、ボタンの情報が格納されている場所を図７に示しておく。
例えば、ＤＶＤ−Ｖｉｄｅｏ規格の場合、管理情報ＰＣＩから、表示させた際に、最初にカーソルがあるボタンは、図７に示すＡ１の情報から、また一定時間経つと強制的に実行されるボタンは、図７に示すＡ２の情報から判断することができる。なお、ＰＣＩは、ＤＶＤ−Ｖｉｄｅｏ規格で定義されている管理情報の固有名称で、再生中の映像データに、１対１で対応する。
【００４８】
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【００４９】
本編の再生中に操作モードの変更がある場合には（Ｕ００２）、操作モードの変更を行い（Ｕ００６）、変更した操作モードで再生が継続される（Ｕ００７）。
なお、上記の説明では、本編の再生を終了した後、再生装置１００を停止させるようにしたが（Ｕ００５）、例えば再生装置を停止させる替わりに、メニューを表示させるようにしてもよく、またトレイをオープンさせるようにしてもよい。
【００５０】
上記実施の形態１の構成によると、操作モードに応じて使用可能なキーを使用者が選択できるとともに、コンテンツの内容に応じて、制御部が、使用可能なキーを決定することができるので、例えば使用者の熟練度に応じたキー操作が可能となり、利便性が向上する。
【００５１】
また、操作モードについても、その途中で、他の最適な操作モードに自動で切り替えるようにしたので、機器の動作状況に応じた適切な操作を行うことができる。
さらに、簡易操作モードにおいては、記録媒体からコンテンツを読み出してメニューコンテンツの有・無またはコンテンツ本体部のタイトルを解析して、その内容に応じて必要となるキー操作の一部を自動的に実行してコンテンツを再生する際に、メニューコンテンツがあり、さらに次のメニューコンテンツが有る場合でも、自動的に、次のメニューコンテンツでないコンテンツに対応するボタンのコンテンツを本編として再生するようにしているので、少なくとも、メニューが２階層に亘って設けられている場合でも、コンテンツ本体部の再生を確実に行うことができる。
【００５２】
また、メニューコンテンツでないコンテンツを再生するボタンが複数ある場合、番号が最も小さいボタンに対応するコンテンツを再生するようにしているので、例えばコンテンツの再生時間の長さに基づき、コンテンツ本体部を検索する場合に比べて、より、確実にコンテンツ本体部の検索を行うことができる。
【００５３】
ところで、上記実施の形態１においては、本編の検索を行うのに、まず、最初のメニューの中にボタンが有るか無いかを判断するとともに、このボタンの実行後に、再生されるコンテンツがメニューでないコンテンツであるボタンを取得し、そしてこのボタンの数が１つまたは２つ以上である場合についての説明をしたが、この本編を特定する部分の変形例について、以下に示す実施の形態２〜６にて説明する。
【００５４】
なお、以下に示す各実施の形態においては、主に、実施の形態１と異なる部分のフローにおけるステップ（再生方法）に着目して説明を行うとともに、その構成部材については実施の形態１で説明したものと同一の部材番号を用いて、および本編を特定する前後のステップ（頭にＳとＵが付加された番号）についても、同一のステップ番号を用いて説明する。
［実施の形態２］
以下、本発明の実施の形態２に係るコンテンツ再生方法を、図８のフローチャートに基づき説明する（請求項３に相当）。
【００５５】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００５６】
メニューコンテンツが有る場合は、メニュー画面に移行し（Ｔ２０１）、メニューの管理情報を検索する（Ｔ２０２）。例えば、ＤＶＤ−Ｖｉｄｅｏ規格の場合では、ＮＶ＿ＰＣＫのＨＬＩ＿ＧＩである。
【００５７】
そして、管理情報を検索しボタンが有るか無いかを探し（Ｔ２０３）、その判断を行う（Ｔ２０４）。ボタンが無い場合は次の管理情報（ＮＶ＿ＰＣＫのＨＬＩ＿ＧＩ）を取得することになる（Ｔ２０５）。
【００５８】
ボタンが有る場合（Ｔ２０４）、このボタンが実行された後に再生される映像データがメニューでないコンテンツであるボタンを取得する（Ｔ２０６）。
取得した実行された後に再生される映像データがメニューでないコンテンツであるボタンの数を判断する（Ｔ２０７）。
【００５９】
ボタンが無い場合は、上記と同様に、次の管理情報（ＮＶ＿ＰＣＫのＨＬＩ＿ＧＩ）を取得することになる（Ｔ２０５）。
ボタンが１つだけの場合、このボタンが実行された後に再生されるコンテンツを本編とする（Ｔ２０８）。
【００６０】
取得した実行された後に再生される映像データがメニューでないコンテンツであるボタンの数が複数（２つ以上）である場合で、且つこれらボタンのうち、一定時間経つと強制的に実行されるボタンが含まれるか否かを判断する（Ｔ２０９）。そして、一定時間経つと強制的に実行されるボタンが含まれる場合には、このボタンが実行された後に再生されるコンテンツを本編とする（Ｔ２１０）。
【００６１】
また、一定時間経つと強制的に実行されるボタンが含まれない場合には、ボタンを一意に識別（特定）できる番号のうち、ボタンを一意に識別し得る番号が最も小さいボタンを実行した後に再生されるコンテンツを本編とする（Ｔ２１１）。
【００６２】
なお、ボタンの情報が格納されている場所については、図７に示した通りである。
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【００６３】
本編の再生中に操作モードの変更がある場合には（Ｕ００２）、操作モードの変更を行い（Ｕ００６）、変更した操作モードで再生が継続される（Ｕ００７）。
上記実施の形態２の構成によると、実施の形態１の効果と略同様に、メニューコンテンツでないコンテンツを再生するボタンが複数ある場合、一定時間経過した後に実行されるボタンに対応するコンテンツを再生するようにしているので、例えばコンテンツの再生時間の長さに基づきコンテンツ本体部を検索する場合に比べて、より、確実にコンテンツ本体部の検索を行うことができる。
［実施の形態３］
以下、本発明の実施の形態３に係るコンテンツ再生方法を、図９のフローチャートに基づき説明する（請求項４に相当）。
【００６４】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００６５】
メニューコンテンツが有る場合は、メニュー画面に移行し（Ｔ３０１）、メニューの管理情報を検索する（Ｔ３０２）。例えば、ＤＶＤ−Ｖｉｄｅｏ規格の場合では、ＮＶ＿ＰＣＫのＨＬＩ＿ＧＩである。
【００６６】
そして、管理情報を検索しボタンが有るか無いかを探し（Ｔ３０３）、その判断を行う（Ｔ３０４）。ボタンが無い場合は次の管理情報（ＮＶ＿ＰＣＫのＨＬＩ＿ＧＩ）を取得することになる（Ｔ３０５）。
【００６７】
ボタンが有る場合（Ｔ３０４）、このボタンが実行された後に再生される映像データがメニューでないコンテンツであるボタンを取得する（Ｔ３０６）。
取得した実行された後に再生される映像データがメニューでないコンテンツであるボタンの数を判断する（Ｔ３０７）。
【００６８】
ボタンが無い場合は、上記と同様に、次の管理情報（ＮＶ＿ＰＣＫのＨＬＩ＿ＧＩ）を取得することになる（Ｔ３０５）。
ボタンが１つだけの場合、このボタンが実行された後に再生されるコンテンツを本編とする（Ｔ３０８）。
【００６９】
取得した実行された後に再生される映像データがメニューでないコンテンツであるボタンの数が複数（２つ以上）である場合で、且つこれらボタンのうち、表示させた最初にカーソルがあるボタンが含まれるか否かを判断する（Ｔ３０９）。そして、カーソルがあるボタンが含まれる場合には、このボタンが実行された後に再生されるコンテンツを本編とする（Ｔ３１０）。
【００７０】
また、カーソルがあるボタンが含まれない場合には、ボタンを一意に識別（特定）できる番号のうち、ボタンを一意に識別し得る番号が最も小さいボタンを実行した後に再生されるコンテンツを本編とする（Ｔ３１１）。
【００７１】
なお、ボタンの情報が格納されている場所については、図７に示した通りである。
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【００７２】
本編の再生中に操作モードの変更がある場合には（Ｕ００２）、操作モードの変更を行い（Ｕ００６）、変更した操作モードで再生が継続される（Ｕ００７）。
上記実施の形態３の構成によると、実施の形態１の効果と略同様に、メニューコンテンツでないコンテンツを再生するボタンが複数ある場合、最初にカーソルがあるボタンに対応するコンテンツを再生するようにしているので、例えばコンテンツの再生時間の長さに基づきコンテンツ本体部を検索する場合に比べて、より、確実にコンテンツ本体部の検索を行うことができる。
［実施の形態４］
以下、本発明の実施の形態４に係るコンテンツ再生方法を、図１０のフローチャートに基づき説明する（請求項５に相当）。
【００７３】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００７４】
メニューコンテンツが有る場合は、メニュー画面に移行し（Ｔ４０１）、メニューの管理情報を検索する（Ｔ４０２）。例えば、ＤＶＤ−Ｖｉｄｅｏ規格の場合では、ＮＶ＿ＰＣＫのＨＬＩ＿ＧＩである。
【００７５】
そして、管理情報を検索しボタンが有るか無いかを探し（Ｔ４０３）、その判断を行う（Ｔ４０４）。ボタンが無い場合は次の管理情報（ＮＶ＿ＰＣＫのＨＬＩ＿ＧＩ）を取得することになる（Ｔ４０５）。
【００７６】
ボタンが有る場合（Ｔ４０４）、このボタンが実行された後に再生される映像データがメニューでないコンテンツであるボタンを取得する（Ｔ４０６）。
取得した実行された後に再生される映像データがメニューでないコンテンツであるボタンの数を判断する（Ｔ４０７）。
【００７７】
ボタンが無い場合は、上記と同様に、次の管理情報（ＮＶ＿ＰＣＫのＨＬＩ＿ＧＩ）を取得することになる（Ｔ４０５）。
ボタンが１つだけの場合、このボタンが実行された後に再生されるコンテンツを本編とする（Ｔ４０８）。
【００７８】
取得した実行された後に再生される映像データがメニューでないコンテンツであるボタンの数が複数（２つ以上）である場合で、且つこれらボタンの中に、一定時間経過すると強制的に実行されるボタンと最初にカーソルがあるボタンとが含まれているか否かを判断する（Ｔ４０９）。
【００７９】
そして、両方のボタンが含まれていると判断された場合、一定時間経つと強制的に実行されるボタンが実行された後に再生されるコンテンツを本編とする（Ｔ４１０）。
また、両方のボタンが一緒に含まれていない場合には、ボタンを一意に識別（特定）できる番号のうち、ボタンを一意に識別し得る番号が最も小さいボタンを実行した後に再生されるコンテンツを本編とする（Ｔ４１１）。
【００８０】
なお、ボタンの情報が格納されている場所については、図７に示した通りである。
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【００８１】
本編の再生中に操作モードの変更がある場合には（Ｕ００２）、操作モードの変更を行い（Ｕ００６）、変更した操作モードで再生が継続される（Ｕ００７）。
上記実施の形態４の構成によると、実施の形態１の効果と略同様に、メニューコンテンツでないコンテンツを再生するボタンが複数あり、且つ最初にカーソルがあるボタンと一定時間経過した後に実行されるボタンとが含まれている場合に、一定時間経過後に実行されるボタンに対応するコンテンツを再生するようにしているので、例えばコンテンツの再生時間の長さに基づきコンテンツ本体部を検索する場合に比べて、より、確実にコンテンツ本体部の検索を行うことができる。
［実施の形態５］
以下、本発明の実施の形態５に係るコンテンツ再生方法を、図１１のフローチャートに基づき説明する（請求項６および請求項７に相当）。
【００８２】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００８３】
メニューコンテンツが有る場合は、メニュー画面に移行し（Ｔ５０１）、メニューの管理情報を検索する（Ｔ５０２）。例えば、ＤＶＤ−Ｖｉｄｅｏ規格の場合では、ＮＶ＿ＰＣＫのＨＬＩ＿ＧＩである。
【００８４】
そして、管理情報を検索しボタンが有るか無いかを探し（Ｔ５０３）、その判断を行う（Ｔ５０４）。ボタンが無い場合は次の管理情報（ＮＶ＿ＰＣＫのＨＬＩ＿ＧＩ）を取得することになる（Ｔ５０５）。
【００８５】
ボタンが有る場合（Ｔ５０４）、このボタンが実行された後に再生される映像データがメニューでないコンテンツであるボタンを取得する（Ｔ５０６）。
取得した実行された後に再生される映像データがメニューでないコンテンツであるボタンの数を判断する（Ｔ５０７）。
【００８６】
ボタンが無い場合は、上記と同様に、次の管理情報（ＮＶ＿ＰＣＫのＨＬＩ＿ＧＩ）を取得することになる（Ｔ５０５）。
ボタンが１つだけの場合、このボタンが実行された後に再生されるコンテンツを本編とする（Ｔ５０８）。
【００８７】
取得した実行された後に再生される映像データがメニューでないコンテンツであるボタンの数が複数（２つ以上）である場合で、且つこれらボタンの中に、一定時間経過すると強制的に実行されるボタンと最初にカーソルがあるボタンとが含まれているか否かを判断する（Ｔ５０９）。
【００８８】
そして、両方のボタンが含まれていると判断された場合、最初にカーソルがあるボタンが実行された後に再生されるコンテンツを本編とする（Ｔ５１０）。
また、両方のボタンが含まれていない場合には、ボタンを一意に識別（特定）できる番号のうち、ボタンを一意に識別し得る番号が最も小さいボタンを実行した後に再生されるコンテンツを本編とする（Ｔ５１１）。
【００８９】
なお、ボタンの情報が格納されている場所については、図７に示した通りである。
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【００９０】
本編の再生中に操作モードの変更がある場合には（Ｕ００２）、操作モードの変更を行い（Ｕ００６）、変更した操作モードで再生が継続される（Ｕ００７）。
上記実施の形態５の構成によると、実施の形態１の効果と略同様に、メニューコンテンツでないコンテンツを再生するボタンが複数あり、且つ最初にカーソルがあるボタンと一定時間経過した後に実行されるボタンとがある場合に、最初にカーソルがあるボタンに対応するコンテンツを再生するようにしているので、また最初にカーソルがあるボタンと一定時間経過した後に実行されるボタンとがない場合に、ボタンを一意に識別し得る番号が最も小さいボタンを実行した後に再生されるコンテンツを再生するようにしているので、例えばコンテンツの再生時間の長さに基づきコンテンツ本体部を検索する場合に比べて、より、確実にコンテンツ本体部の検索を行うことができる。
【００９１】
なお、上記実施の形態４におけるステップ（Ｔ４１０）において、両方のボタンが含まれていると判断された場合、一定時間経つと強制的に実行されるボタンが実行された後に再生されるコンテンツを本編とし、また上記実施の形態５におけるステップ（Ｔ５１０）においては、両方のボタンが含まれていると判断された場合、最初にカーソルがあるボタンが実行された後に再生されるコンテンツを本編とするように説明したが、簡単に言えば、設定により、いずれかのボタンが実行されるコンテンツを本編とするように、予め決めておくことができる。さらに、いずれか一方のボタンが含まれている場合には、当該ボタンが実行された後に再生されるコンテンツを本編とするようにしてもよい。
［実施の形態６］
以下、本発明の実施の形態６に係るコンテンツ再生方法を、図１２のフローチャートに基づき説明する（請求項８に相当）。
【００９２】
ディスク１０７がディスクトレイ４０に挿入されると（Ｓ０１１）、ディスク１０７の再生が始まり（Ｓ０１２）、メニューコンテンツの有・無が検索される（Ｓ０１３）。メニューコンテンツが無い場合には、先頭のタイトルが再生される（Ｓ０１４）。
【００９３】
メニューコンテンツが有る場合は、メニュー画面に移行し（Ｔ６０１）、メニューの管理情報を検索する（Ｔ６０２）。例えば、ＤＶＤ−Ｖｉｄｅｏ規格の場合では、ＮＶ＿ＰＣＫのＨＬＩ＿ＧＩである。
【００９４】
そして、管理情報を検索しボタンが有るか無いかを探し（Ｔ６０３）、その判断を行う（Ｔ６０４）。ボタンが無い場合は次の管理情報（ＮＶ＿ＰＣＫのＨＬＩ＿ＧＩ）を取得することになる（Ｔ６０５）。
【００９５】
ボタンが有る場合（Ｔ６０４）、このボタンが実行された後に再生される映像データがメニューでないコンテンツであるボタンを取得する（Ｔ６０６）。
取得した実行された後に再生される映像データがメニューでないコンテンツであるボタンの数を判断する（Ｔ６０７）。
【００９６】
ボタンが無い場合、つまり全てのボタンが押されたときに再生されるコンテンツがメニューコンテンツである場合、上記ボタンが押されたときに再生されるメニューコンテンツの再生後に、ユーザの操作なしにタイトルコンテンツを再生するように割り当てられているボタンを取得する（Ｔ６０８）。
【００９７】
このタイトルコンテンツを再生するように割り当てられているボタンの数を判断する（Ｔ６０９）。
このボタンが無い場合はステップＴ６０５に進み、次の管理情報（ＮＶ＿ＰＣＫのＨＬＩ＿ＧＩ）を取得することになる。
【００９８】
次に、ステップ６０７または６０９で取得されたボタンの数が１つである場合には、メニューコンテンツの再生後に、ユーザ操作なしに、その後実行されるタイトルコンテンツを本編とする（Ｔ６１０）。
また、ステップ６０７または６０９で取得されたボタンの数が２つ以上である場合には、メニューコンテンツの再生後に、ユーザ操作なしに、その後実行されるタイトルコンテンツのボタンを一意に識別（特定）し得る番号のうち、最も小さいものを実行したときに再生されるコンテンツを本編とする（Ｔ６１１）。
なお、ボタンの情報が格納されている場所については、図７に示した通りである。
【００９９】
そして、上記選択された本編の再生が開始される（Ｕ００１）。
次に、本編の再生中に操作モードの変更が無い場合（Ｕ００２）、本編の再生が完了すれば（Ｕ００３）、本編の再生を終了して（Ｕ００４）、再生装置１００を停止する（Ｕ００５）。本編の再生が未完了であれば（Ｕ００３）、本編の再生が継続される。
【０１００】
本編の再生中に操作モードの変更がある場合には（Ｕ００２）、操作モードの変更を行い（Ｕ００６）、変更した操作モードで再生が継続される（Ｕ００７）。
上記実施の形態６の構成によると、実施の形態１の効果と略同様に、メニューコンテンツでないコンテンツを再生するボタンが複数あり且つこれらボタンが全てさらにメニューコンテンツである場合に、ユーザの操作なしに実行されるボタンに対応するコンテンツを再生するようにしているので、例えばコンテンツの再生時間の長さに基づきコンテンツ本体部を検索する場合に比べて、より、確実にコンテンツ本体部の検索を行うことができる。
【産業上の利用可能性】
【０１０１】
本発明に係るコンテンツ再生装置として、光ディスクの再生装置を示したが、光ディスク以外にもハードディスクなどの記録媒体に記録されたコンテンツを再生する装置にも適用することができ、例えば記録媒体がＳＤカードやＰＣカードなどのメモリカードである場合にも、適用することができる。さらに、他のディジタル機器、ネットワークＡＶサーバなどにも適用することができる。
【図面の簡単な説明】
【０１０２】
【図１】本発明の実施の形態１に係るコンテンツ再生装置を用いたコンテンツ再生システムの概略全体構成を示す図である。
【図２】本発明の実施の形態１に係るコンテンツ再生装置の概略構成を示すブロック図である。
【図３】同再生装置にて選択可能な操作モードを示す図である。
【図４】同コンテンツ再生装置におけるメニューコンテンツの有無の判断手順を示すフローチャートである。
【図５】同コンテンツ再生装置での光ディスク再生中におけるメニューコンテンツの有・無の判断手順を示すフローチャートである。
【図６】同再生装置での光ディスクを再生する場合のフローチャートである。
【図７】同光ディスク内のビデオ・タイトル・セット・・・・の構成を示す図である。
【図８】本発明の実施の形態２に係るコンテンツ再生方法における光ディスクを再生する場合のフローチャートである。
【図９】本発明の実施の形態３に係るコンテンツ再生方法における光ディスクを再生する場合のフローチャートである。
【図１０】本発明の実施の形態４に係るコンテンツ再生方法における光ディスクを再生する場合のフローチャートである。
【図１１】本発明の実施の形態５に係るコンテンツ再生方法における光ディスクを再生する場合のフローチャートである。
【図１２】本発明の実施の形態６に係るコンテンツ再生方法における光ディスクを再生する場合のフローチャートである。
【符号の説明】
【０１０３】
１０      リモコン
２０      表示装置
３０      スピーカ
４０      ディスクトレイ
５０      操作モード
５１      通常操作モード
５２      簡易機能モード
５３      簡易操作モード
５４      機能カスタマイズモード
６０      ビデオ・タイトル・セット
７０      ビデオ・タイトル・セット・タイム・マップ・テーブル
８０      ビデオ・タイトル・セット・メニュー・プログラム・チェーン情報ユニット・テーブル
９０      ビデオ・タイトル・セット・メニュー・言語ユニット・サーチポインタ
９１      ビデオ・タイトル・セット・メニュー言語コード
１００    コンテンツ再生装置
１０１    制御部
１０２    本体キー部
１０３    第１記憶部
１０４    第２記憶部
１０５    制御バス
１０６    データ処理部
１０７    光ディスク
１０８    ピックアップ
１０９    ディスクコントローラ
【図１】
2007299446.tif 000003
【図２】
2007299446.tif 000004
【図３】
2007299446.tif 000005
【図４】
2007299446.tif 000006
【図５】
2007299446.tif 000007
【図６】
2007299446.tif 000008
【図７】
2007299446.tif 000009
【図８】
2007299446.tif 000010
【図９】
2007299446.tif 000011
【図１０】
2007299446.tif 000012
【図１１】
2007299446.tif 000013
【図１２】
2007299446.tif 000014